(57)【要約】【課題】地震による地殻の変動により支柱の位置が変わっても、その変化に追随してパネルを伸縮あるいは支柱を中心として旋回可能とすることによって、フェンスの破壊を確実に防止することができる。【解決手段】一対の支柱２、５と、一方の支柱２に蝶番３によって旋回可能に取り付けられた一方のパネル１と、他方の支柱５に蝶番６によって旋回可能に取り付けられた、一方のパネル１と一部重ね合わされる他方のパネル４と、一方のパネル１に対して他方のパネル４を水平方向にスライド自在に支持する支持手段とを備えている。【選択図】図１
2007177565.tif 000002
【特許請求の範囲】
【請求項１】
一対の支柱と、前記一対の支柱の一方に旋回可能に取り付けられた一方のパネルと、前記一対の支柱の他方に旋回可能に取り付けられた、前記一方のパネルと一部重ね合わされる他方のパネルと、前記一方のパネルに対して前記他方のパネルを水平方向にスライド自在に支持する支持手段とを備えていることを特徴とするフェンス。
【請求項２】
前記支持手段は、前記一方のパネルに取り付けられたガイドレールと、前記他方のパネルに取り付けられた、前記ガイドレールに沿って移動するガイドピンとを備えていることを特徴とする、請求項１記載のフェンス。
【請求項３】
前記一方のパネルおよび前記他方のパネルは、胴縁に取り付けられた、縦桟と横桟とを格子状に組んだメッシュパネルからなっていることを特徴とする、請求項１または２記載のフェンス。
【発明の詳細な説明】
【技術分野】
【０００１】
この発明は、フェンス、特に、支柱間にパネルが取り付けられたものからなるフェンスにおいて、地震による地殻の変動により支柱の位置が変わっても、その変化に追随してパネルを伸縮あるいは支柱を中心として旋回可能とすることによって、フェンスの破壊を確実に防止することができるフェンスに関するものである。
【背景技術】
【０００２】
地震により地殻が変動すると、地上に構築されているフェンスの支柱の位置も変わる。すなわち、支柱間の距離が変化したり、距離は変わらないがその位置が変化する。このように支柱の位置が変わると、支柱間に固定されているフェンス用パネルが破損する。パネルが破損するとフェンスとしての機能が失われるので、フェンスの補修や再構築を余儀なくされ、莫大な時間と費用を要する。
【０００３】
このような問題を解決する手段として、フェンス用パネルを支柱に固定するボルトの挿入孔を長孔に形成して、支柱間の距離の変化を吸収することが考えられる。
【発明の開示】
【発明が解決しようとする課題】
【０００４】
しかしながら、ボルトの挿入孔を長孔に形成して、支柱の位置変化を吸収することにも限界があり、地震時に生じる大きな変動には追随することができない。
【０００５】
そこで、地震等により支柱の位置が大きく変化しても、これに追随できるようにするには、支柱間のフェンス用パネルを伸縮あるいは支柱を中心として旋回可能とすれば良いが、係るフェンスは未だ提案されていない。
【０００６】
従って、この発明の目的は、地震による地殻の変動により支柱の位置が変わっても、その変化に追随してパネルが伸縮あるいは支柱を中心として旋回可能とすることによって、フェンスの破壊を確実に防止することができるフェンスを提供することにある。
【課題を解決するための手段】
【０００７】
この発明は、上記目的を達成するためになされたものであって、下記を特徴とするものである。
【０００８】
請求項１記載の発明は、一対の支柱と、前記一対の支柱の一方に旋回可能に取り付けられた一方のパネルと、前記一対の支柱の他方に旋回可能に取り付けられた、前記一方のパネルと一部重ね合わされる他方のパネルと、前記一方のパネルに対して前記他方のパネルを水平方向にスライド自在に支持する支持手段とを備えていることに特徴を有するものである。
【０００９】
請求項２記載の発明は、請求項１記載の発明において、支持手段は、一方のパネルに取り付けられたガイドレールと、他方のパネルに取り付けられた、ガイドレールに沿って移動するガイドピンとを備えていることに特徴を有するものである。
【００１０】
請求項３記載の発明は、請求項１または２記載の発明において、一方のパネルおよび他方のパネルは、胴縁に取り付けられた、縦桟と横桟とを格子状に組んだメッシュパネルからなっていることに特徴を有するものである。
【発明の効果】
【００１１】
この発明によれば、地震による地殻の変動により支柱の位置が変わっても、その変化に追随してパネルが伸縮あるいは支柱を中心として旋回するので、フェンスの破壊を確実に防止することがでえきる。
【発明を実施するための最良の形態】
【００１２】
この発明のフェンスの一実施態様を、図面を参照しながら説明する。
【００１３】
図１は、この発明のフェンスを示す正面図、図２は、この発明のフェンスを示す平面図、図３は、図１のＢ−Ｂ線断面図、図４は、図３の一点鎖線で囲まれたＡ部拡大図、図５は、フェンス用パネルが旋回した状態を示す平面図である。
【００１４】
図１から図５において、１は、一対の支柱の一方の支柱２に蝶番３によって旋回可能に取り付けられた一方のパネル、４は、一対の支柱の他方の支柱５に蝶番６によって旋回可能に取り付けられた他方のパネルであり、一方のパネル１と他方のパネル４とは、一部重ね合わされている。７Ａ、７Ｂは、一方のパネル１に対して他方のパネル４を水平方向にスライド自在に支持する上部、下部支持手段である。
【００１５】
一方および他方のパネル１、４は、左右縦胴縁８Ａと上下横胴縁８Ｂとに取り付けられた、縦桟９と横桟１０とを格子状に組んだメッシュパネルからなっている。なお、パネル１、４は、このメッシュパネル以外のものであっても勿論良い。パネル１、４の縦胴縁８Ａの上端部は上方に延びていて、この上端部間には、有刺鉄線１１が張られている。支柱２、５の上部は、一方向にくの字に湾曲している。
【００１６】
上部支持手段７Ａは、一方のパネル１の左右縦胴縁８Ａ間の上部に水平に取り付けられた２本のガイドレール１２と、他方のパネル４の上横胴縁８Ｂに取り付けられた、２本のガイドレール１２間に沿って自在にスライドする、ブラケット１３に取り付けられたガイドピン１４とを備えている。下部支持手段７Ｂは、上部の支持手段７Ａと同じ構成である。すなわち、一方のパネル１の左右縦胴縁８Ａ間の下部に水平に取り付けられた２本のガイドレール１２と、他方のパネル４の下横胴縁８Ｂに取り付けられた、２本のガイドレール１２間に沿って自在にスライドする、ブラケット１３に取り付けられたガイドピン１４とを備えている。
【００１７】
このように構成されている、この発明のフェンスによれば、図２中、一点鎖線で示すように、地震により、一方の支柱２と他方の支柱５との間隔が広がっても、上部、下部支持手段７Ａ、７Ｂにより一方のパネル１と他方のパネル４とは、水平方向に円滑にスライドし、伸びるので、フェンスが破損することがない。支柱１と５との間隔が狭まった場合も同様に、パネルは円滑にスライドし、縮むので、フェンスが破損することはない。
【００１８】
また、図５中、一点鎖線で示すように、地震により、一方の支柱２に対して、他方の支柱５の位置が変化しても、一方のパネル１と他方のパネル４とは、蝶番３、６により支柱２、５に取り付けられているので、パネル１、４は、蝶番３、６を中心として旋回するので、フェンスが破損することがない。
【００１９】
なお、上述したパネルの伸縮と旋回とが同時に起こっても、これに追随できるので、フェンスが破損することはない。
【図面の簡単な説明】
【００２０】
【図１】この発明のフェンスを示す正面図である。
【図２】この発明のフェンスを示す平面図である。
【図３】図１のＢ−Ｂ線断面図である。
【図４】図３の一点鎖線で囲まれたＡ部拡大図である。
【図５】フェンス用パネルが旋回した状態を示す平面図である。
【符号の説明】
【００２１】
１：一方のパネル
２：一方の支柱
３：蝶番
４：他方のパネル
５：他方の支柱
６：蝶番
７Ａ：上部支持手段
７Ｂ：下部支持手段
８Ａ：縦胴縁
８Ｂ：横度縁
９：縦桟
１０：横桟
１１：有刺鉄線
１２：ガイドレール
１３：ブラケット
１４：ガイドピン
【図１】
2007177565.tif 000003
【図２】
2007177565.tif 000004
【図３】
2007177565.tif 000005
【図４】
2007177565.tif 000006
【図５】
2007177565.tif 000007